(57)【要約】【課題】新たなユーザ端末が接続された時、端末位置情報登録を容易にしたアクセスポイントノード装置および端末位置情報登録を提供する。【解決手段】ＳＩＰサーバ３と認証サーバ４とが接続されたＩＰネットワーク１へのアクセスポイントとなるノード装置５Ａが、ユーザ端末から送信されたアカウント識別子を含む認証要求に応答して、上記認証サーバとの間でユーザ認証のための通信手順を実行するアクセスマネージャ６と、上記認証サーバによって認証されたユーザ端末について、上記アカウント識別子を呼接続制御における端末識別子として、上記呼接続制御サーバに端末位置情報の登録を要求するＳＩＰアクセスマネージャ７とを有する。【選択図】  図１
2004328104.tif 000002
【特許請求の範囲】
【請求項１】
認証サーバと呼接続制御サーバとが接続されたＩＰ（Ｉｎｔｅｒｎｅｔ  Ｐｒｏｔｏｃｏｌ）ネットワークへのアクセスポイントとなるノード装置において、
ユーザ端末から送信されたアカウント識別子を含む認証要求に応答して、上記認証サーバとの間でユーザ認証のための通信手順を実行する第１手段と、
上記認証サーバによって認証されたユーザ端末について、上記アカウント識別子を呼接続制御における端末識別子として、上記呼接続制御サーバに端末位置情報の登録を要求する第２手段とを有することを特徴とするノード装置。
【請求項２】
前記ユーザ端末から送信された認証要求が、前記アカウント識別子と対応するユーザパスワードを含み、
前記第１手段が、上記ユーザ端末から受信した上記認証要求が示すアカウント識別子とユーザパスワードとを含む認証要求メッセージを前記認証サーバに送信し、前記認証サーバからの応答メッセージが示す認証ユーザへの割当て端末アドレスを前記ユーザ端末に通知し、
前記第２手段が、上記アカウント識別子と上記端末アドレスとを指定して、前記呼接続制御サーバに端末位置情報の登録を要求することを特徴とする請求項１に記載のノード装置。
【請求項３】
前記認証サーバが、前記パスワードによって認証されたユーザ端末について、前記アカウント識別子と端末アドレスとを含む応答メッセージを前記第１手段に返送し、
前記第２手段が、上記応答メッセージが示すアカウント識別子と端末アドレスとを使用して、前記呼接続制御サーバに端末位置登録を要求することを特徴とする請求項２に記載のノード装置。
【請求項４】
前記第２手段が、端末識別子の少なくとも一部の情報と呼接続制御サーバとの対応関係を示すサーバ選択テーブルを備え、
上記サーバ選択テーブルから前記アカウント識別子と対応する呼接続制御サーバを選択し、選択された呼接続制御サーバに端末位置登録を要求することを特徴とする請求項１〜請求項３の何れかに記載のノード装置
【請求項５】
ＩＰ（Ｉｎｔｅｒｎｅｔ  Ｐｒｏｔｏｃｏｌ）ネットワークに接続された呼接続制御サーバへの端末位置登録方法において、
ユーザ端末から上記ＩＰネットワークへのアクセスポイントとなるノード装置に対して、ユーザのアカウント識別子を含む認証要求メッセージを送信するステップと、
上記認証要求メッセージの受信に応答して、上記ノード装置と上記ＩＰネットワークに接続された認証サーバとの間で、ユーザ認証のための通信手順を実行するステップと、
上記ノード装置から上記ユーザ端末に、上記認証サーバからの応答メッセージが示す認証ユーザ端末への割当て端末アドレスを通知するステップと、
上記ユーザ端末への割当てアドレスについて、上記ノード装置から上記呼接続制御サーバに、上記アカウント識別子を呼接続制御における端末識別子として、端末位置情報の登録を要求するステップとからなることを特徴とする端末位置情報登録方法。
【発明の詳細な説明】
【０００１】
【発明の属する技術分野】
本発明はＩＰネットワーク用のアクセスポイントノード装置および端末位置情報登録方法に関し、特に、新たなユーザ端末の接続時または端末移動時に、呼接続制御サーバへの端末位置情報の登録を容易にしたアクセスポイントノード装置および端末位置情報登録方法に関する。
【０００２】
【従来の技術】
これまで電話交換機網によって実現されていた音声通信をＩＰ（Ｉｎｔｅｒｎｅｔ  Ｐｒｏｔｏｃｏｌ）網上で実現するＶｏＩＰ（Ｖｏｉｃｅ  ｏｖｅｒ  ＩＰ）が普及しつつある。ＶｏＩＰ通信を実現する際に必要となる通話接続（呼接続制御）用の制御プロトコルとして、ＩＥＴＦ（Ｔｈｅ  Ｉｎｔｅｒｎｅｔ  Ｅｎｇｉｎｅｅｒｉｎｇ  Ｔａｓｋ  Ｆｏｒｃｅ）がＲＦＣ３２６１（非特許文献１）として仕様化したＳＩＰ（Ｓｅｓｓｉｏｎ  Ｉｎｉｔｉａｔｉｏｎ  Ｐｒｏｔｏｃｏｌ）がある。ＳＩＰでは、呼接続時にＳＤＰ（Ｓｅｓｓｉｏｎ  Ｄｅｓｃｒｉｐｔｉｏｎ  Ｐｒｏｔｏｃｏｌ）を使用してセッション情報を受け渡しする。
【０００３】
ＳＩＰ電話網では、網内に設置されたＳＩＰサーバと呼ばれる呼接続制御用の管理サーバによって、クライアント端末（ＳＩＰ端末）間の接続管理を行う。ＳＩＰ端末は、他のＳＩＰ端末との通信に先立って、ＳＩＰサーバに宛先端末への接続要求メッセージを送信する。上記接続要求メッセージを受信したＳＩＰサーバは、データベース（ＳＩＰ情報テーブル）から宛先ＳＩＰ端末のアドレスを検索し、宛先ＳＩＰ端末に対して接続要求メッセージを発行する。接続可能な宛先ＳＩＰ端末は、ＳＩＰサーバに対して上記接続要求への合意メッセージを回答する。接続合意メッセージは、ＳＩＰサーバを介して、接続要求元のＳＩＰ端末に転送される。上記接続合意メッセージに応答して、接続要求元のＳＩＰ端末が確認応答メッセージを送信し、ＳＩＰサーバから宛先ＳＩＰ端末に確認応答メッセージが転送された時、呼接続手順が完了し、通話が開始される。
【０００４】
上述したＳＩＰの呼接続手順は、従来提案されてきた他の呼接続手順に比較して仕組みが簡潔で、接続制御情報の送信にＵＤＰ（Ｕｓｅｒ  Ｄａｔａｇｒａｍ  Ｐｒｏｔｏｃｏｌ）を適用しているため、接続所要時間も比較的短くて済む。また、ＳＩＰは、呼制御に特化したプロトコルとなっているため、仕様が簡潔で、通信装置に容易に実装できるため、ベンダ間の相互接続にも適したプロトコルとなっている。
【非特許文献】
ＳＩＰ：Ｓｅｓｓｉｏｎ  Ｉｎｉｔｉａｔｉｏｎ  Ｐｒｏｔｏｃｏｌ、ＩＥＴＦ  ＲＦＣ３２６１
【０００５】
【発明が解決しようとする課題】
然るに、ＳＩＰ方式のＶｏＩＰでは、ＳＩＰサーバが、網に収容された全てのＳＩＰ端末について、アドレス情報と端末識別情報となるＵＲＩ（Ｕｎｉｆｏｒｍ  Ｒｅｓｏｕｒｃｅ  Ｉｄｅｎｔｉｆｉｅｒｓ）をＳＩＰユーザ情報（端末位置情報）として管理する必要がある。このため、ＳＩＰ方式でＶｏＩＰの呼接続を行うためには、事前に各ＳＩＰ端末のアドレスとＵＲＩを登録する端末位置情報登録手続きが必要となる。
【０００６】
すなわち、ＩＰネットワークに新たなＳＩＰ端末を接続する時、ネットワーク管理者が、ＳＩＰサーバに新たなＳＩＰユーザ情報（端末位置情報）エントリを追加するか、各端末ユーザが、ＳＩＰサーバに対してＳＩＰユーザ情報の登録手順を実行する必要がある。また、ユーザ端末がＩＰ網の拠点（アクセスポイント）間を移動し、移動先での通話を希望する場合、それぞれの移動先でＳＩＰユーザ情報を登録する必要がある。
【０００７】
本発明の目的は、新たなユーザ端末の接続時に、端末位置情報登録を容易にしたアクセスポイントノード装置および端末位置情報登録方法を提供することにある。
本発明の他の目的は、ユーザ端末が別のアクセスポイントに移動した時、移動先での端末位置情報登録を容易にしたアクセスポイントノード装置および端末位置情報登録方法を提供することにある。
【０００８】
【課題を解決するための手段】
上記目的を達成するため、本発明は、認証サーバと呼接続制御サーバ（例えば、ＳＩＰサーバ）とが接続されたＩＰネットワークへのアクセスポイントとなるノード装置が、ユーザ端末から送信されたアカウント識別子を含む認証要求に応答して、上記認証サーバとの間でユーザ認証のための通信手順を実行する第１手段と、上記認証サーバによって認証されたユーザ端末について、上記アカウント識別子を呼接続制御における端末識別子として、上記呼接続制御サーバに端末位置情報の登録を要求する第２手段とを有することを特徴とする。
【０００９】
更に詳述すると、上記ユーザ端末から送信される認証要求は、アカウント識別子と対応するユーザパスワードを含む。この場合、第１手段は、ユーザ端末から受信した上記認証要求が示すアカウント識別子とユーザパスワードとを含む認証要求メッセージを認証サーバに送信し、認証サーバからの応答メッセージが示す認証ユーザへの割当て端末アドレスを要求元のユーザ端末に通知する。また、第２手段は、上記アカウント識別子と端末アドレスとを指定して、呼接続制御サーバに端末位置情報の登録を要求する。
【００１０】
本発明の１実施例では、第２手段が、端末識別子の少なくとも一部の情報と呼接続制御サーバとの対応関係を示すサーバ選択テーブルを備え、上記サーバ選択テーブルから前記アカウント識別子と対応する呼接続制御サーバを選択し、選択された呼接続制御サーバに端末位置登録を要求することを特徴とする。
【００１１】
本発明の端末位置登録方法は、（ａ）ユーザ端末から上記ＩＰネットワークへのアクセスポイントとなるノード装置に対して、ユーザのアカウント識別子を含む認証要求メッセージを送信するステップと、（ｂ）上記認証要求メッセージの受信に応答して、上記ノード装置と上記ＩＰネットワークに接続された認証サーバとの間で、ユーザ認証のための通信手順を実行するステップと、（ｃ）上記ノード装置から上記ユーザ端末に、上記認証サーバからの応答メッセージが示す認証ユーザ端末への割当て端末アドレスを通知するステップと、（ｄ）上記ユーザ端末への割当てアドレスについて、上記ノード装置から呼接続制御サーバに、上記アカウント識別子を呼接続制御における端末識別子として、端末位置情報の登録を要求するステップとからなることを特徴とする。
【００１２】
本発明によれば、認証サーバが使用するアカウント識別子と、呼接続制御サーバ（ＳＩＰサーバ）が宛先端末を特定するために使用する端末識別子（ＵＲＩ）とを共通化したことによって、ユーザ認証が成功した時、アクセスポイントから呼接続制御サーバに、ユーザ端末の位置情報登録を自動的に行うことが可能となる。従って、新たな端末が接続された時、ネットワーク管理者や端末ユーザによる端末位置情報の登録を省略できる。
【００１３】
【発明の実施の形態】
図１は、本発明の第１実施例のアクセスポイントノード装置が適用されるＳＩＰネットワークの１例を示す。
ＳＩＰネットワーク１には、ＳＩＰ情報テーブル３０を備えたＳＩＰサーバ３と、認証情報テーブル４０を備えた認証サーバ４と、アクセスポイントとなるノード装置５（５Ａ、５Ｂ、・・・）とが接続され、ノード装置５には、例えばＬＡＮを介して複数のＳＩＰ端末２（２Ａ１〜２Ａｎ、２Ｂ１〜２Ｂｎ）が収容されている。
【００１４】
各アクセスポイントノード装置５は、接続されたＳＩＰ端末の認証手順を実行するためのアクセスマネージャ６と、ＳＩＰ端末が接続された時にＳＩＰサーバ３へのＳＩＰユーザ情報の登録手順を実行するＳＩＰアクセスマネージャ７を備えている。本発明の１つの特徴は、上記ＳＩＰアクセスマネージャ７が、ＳＩＰサーバ３のＳＩＰ情報テーブル３０にユーザ識別情報として登録されるＵＲＩとして、認証手順において各ＳＩＰ端末が提示するアカウント情報（識別子ＩＤ）を適用するようにしたことにある。
【００１５】
図２は、アクセスポイントノード装置５Ａ（５Ｂ）の構成図を示す。
アクセスポイントノード装置５Ａは、プロセッサ５０と、ＳＩＰ端末を収容しているＬＡＮに接続された入力回線インタフェース５１−１および出力回線インタフェース５２−１と、ＩＰネットワーク１に接続された入力回線インタフェース５１−２および出力回線インタフェース５２−２と、上記各入力回線インタフェースに接続された受信バッファ５３−１および５３−２と、上記各出力回線インタフェースに接続された送信バッファ５４−１および５４−２と、メモリ５６と、内部バス５７とからなる。
【００１６】
メモリ５６には、パケットの転送を制御する基本制御部９と、ＳＩＰ端末から受信した認証要求に応答して、認証サーバ４への問合せや、認証されたＳＩＰ端末へのアドレス配布などの手順を実行するアクセスマネージャ（プログラム）６と、認証されたＳＩＰ端末について、ＳＩＰサーバに位置情報（ＳＩＰユーザ情報）を登録するＳＩＰアクセスマネージャ（プログラム）７が格納されている。受信バッファ５３−１、５３−２に蓄積されたパケットは、基本制御部９によって読出され、ヘッダ情報に従って、アクセスマネージャ６または送信バッファ５４−１、５４−２に選択的に転送される。
【００１７】
図３は、アクセスポイントノード装置５Ａを介して、新たなＳＩＰ端末２Ａ−ｘをＳＩＰネットワークに接続する場合に実行される通信シーケンスを示す。
ＬＡＮに新規のＳＩＰ端末２Ａ−ｘが接続されると（３０１）、ＳＩＰ端末２Ａ−ｘからアクセスポイントノード装置５Ａに対して、ユーザのアカウントＩＤ（ＵＲＩ）を含む認証要求メッセージが発行される（３０２）。上記認証要求メッセージは、基本制御部９によってアクセスマネージャ６に転送され（３０３）、アクセスマネージャ６から認証サーバ４に認証要求メッセージＭ１が発行される（３０４）。
【００１８】
上記認証要求メッセージＭ１は、例えば、図４に示すように、ヘッダフィールド２１にＭＡＣヘッダ２１１とＰＰＰヘッダ２１２を含み、情報フィールド２２に、ＳＩＰ端末ユーザのアカウントＩＤ２２１とパスワード２２２とを含むパケット形式となっている。ＰＰＰヘッダ２１２には、このパケットが、アクセスマネージャから送信された新規接続端末の認証用のものであることを示す認証種別コードが設定されている。
【００１９】
認証サーバ４は、上記認証要求メッセージＭ１が示すアカウントＩＤ２２１とパスワード２２２を認証情報テーブル４０に登録済みの情報と照合することによって、ユーザ認証（３１０）を行う。
認証情報テーブル４０は、例えば、図５に示すように、予め登録されたユーザのアカウントＩＤ４１をもつ複数の認証情報エントリ４００−１、４００−２、…からなる。各エントリは、アカウントＩＤ４１と対応した登録済みのパスワード４２と、アドレス情報４３、エントリの有効性表示フラグ４４、エントリ有効期限４５、その他の情報４６を示している。
【００２０】
認証サーバ４は、認証要求メッセージＭ１が示すアカウントＩＤ２２１と一致するアカウントＩＤ４１をもつエントリ４００−ｊを検索し、認証要求メッセージＭ１が示すパスワード２２２が該エントリ４００−ｊに登録されたパスワード４２と一致した場合、要求元端末ユーザを登録済みユーザと認証する。認証サーバ４は、認証結果に応じた認証要求応答メッセージを生成し、認証要求元のアクセスポイントノード装置５Ａに送信する（３１２）。
【００２１】
認証に成功した場合の認証要求応答メッセージＭ２は、例えば、図６に示すように、情報フィールド２２に、ユーザのアカウントＩＤ２２３とＳＩＰ端末で使用すべきＩＰアドレス２２４とを含んでいる。
【００２２】
認証要求応答メッセージＭ２は、アクセスマネージャ６によって判定され（３１３）、ユーザ認証に成功した場合、使用すべきＩＰアドレスを示す認証要求応答メッセージが要求元ＳＩＰ端末２Ａ−ｘに送信される（３１４）。認証に失敗した場合は、その旨を示す応答メッセージが送信され、ＩＰアドレスの通知は行われない。
【００２３】
本発明では、ユーザ認証に成功した時、アクセスマネージャ６からＳＩＰアクセスマネージャ７に、上記認証要求応答メッセージＭ２から抽出されたＳＩＰ端末２ＡのアカウントＩＤ２２３とＩＰアドレス２２４とを指定して、ＳＩＰアクセス要求を発行する（３２０）。但し、アカウントＩＤには、ＳＩＰ端末２Ａからの認証要求メッセージの受信時に記憶したアカウントＩＤを使用してもよい。
【００２４】
ＳＩＰアクセスマネージャ７は、上記アカウントＩＤ２２３とＩＰアドレス２２４に基づいて、ＳＩＰ端末２ＡをＳＩＰサーバ３に位置登録するためのＳＩＰ位置登録要求メッセージ（ＳＩＰ  ＲＥＧＩＳＴＥＲ）を生成し（３２１）、ＳＩＰサーバ３に送信する（３２５）。
【００２５】
ＳＩＰメッセージは、図７に示すように、メッセージ種類と宛先を示すスタートライン６１と、メッセージヘッダ６２と、これに続くメッセージボディ（図示省略）からなり、ＳＩＰ位置登録要求メッセージの場合、スタートライン６１には、メッセージ種類（メソッド名）を示す「ＲＥＧＩＳＴＥＲ」とＳＩＰサーバ３のドメイン名が設定される。また、メッセージヘッダ６２には、Ｔｏヘッダ部に、ＩＰ情報テーブル３０でエントリ識別子となるＳＩＰ−ＵＲＩの値が設定され、Ｃｏｎｔａｃｔヘッダ部に、ＳＩＰ端末２Ａの位置情報として、今回割り当てられたＩＰアドレス２２４の値が設定される。尚、ＳＩＰ位置登録要求メッセージでは、Ｆｒｏｍヘッダ部にもＴｏヘッダ部と同一の値が設定される。
【００２６】
本発明の特徴は、ＳＩＰのユーザ情報を規定する上記ＳＩＰ−ＵＲＩの値として、ＳＩＰ端末２Ａ−ｘが持つアカウントＩＤを適用したことにある。従って、ＳＩＰサーバ３は、上記ＳＩＰ位置登録要求メッセージを受信すると、受信メッセージから抽出したＳＩＰ−ＵＲＩ（アカウントＩＤ）とＩＰアドレスとの組をユーザ情報として、図８に示すように、ＳＩＰ−ＵＲＩ３１と、Ｃｏｎｔａｃｔアドレス３２と、例えば、エントリ有効期限等のその他の項目３３とからなるエントリを生成し、これをＳＩＰ情報テーブル３０に登録する（３３０）。ＳＩＰ情報テーブル３０へのエントリ登録を終えたＳＩＰサーバ３は、位置登録要求元であるアクセスポイントノード装置５Ａ（ＳＩＰアクセスマネージャ７）に対して応答メッセージ（ＯＫ）を送信する（３３１）。
【００２７】
一方、認証要求応答（３１４）を受信したＳＩＰ端末２Ａ−ｘは、他の端末、例えば、端末２Ｂ−１と通信する場合、データパケット（ＤＡＴＡ）の送信に先立って、ＳＩＰサーバ３に対して、スタートライン６１に、メッセージ種類を示す“ＩＮＶＩＴＥ”と、宛先端末２Ｂ−１のＳＩＰ−ＵＲＩとを含むＳＩＰメッセージ（ＩＮＶＩＴＥ）を送信する（３４０）。上記ＩＮＶＩＴＥメッセージは、ＳＩＰサーバ３を介して宛先端末２Ｂ−１にされ（３４１）、宛先２Ｂ−１が送信したＳＩＰ応答メッセージ（ＯＫ）が、ＳＩＰサーバ３を介して、ＳＩＰ端末２Ａ−ｘに転送される（３４２、３４３）。
【００２８】
上記ＯＫメッセージを受信したＳＩＰ端末２Ａ−ｘが、ＳＩＰ応答確認メッセージ（ＡＣＫ）を送信し（３４４）、これを宛先端末２Ｂ−１が受信すると（３４５）、呼接続が完了し、ＳＩＰ端末２Ａ−ｘと宛先端末２Ｂ−１との間で、音声パケットを含むデータパケット通信（ＤＡＴＡ）が可能となる（３５０）。
【００２９】
ＳＩＰネットワークに接続された他のＳＩＰ端末が発呼元となって、上記位置登録を終えたＳＩＰ端末２Ａ−ｘに呼接続する場合、ＳＩＰサーバ３は、発呼元ＳＩＰ端末から受信したＩＮＶＩＴＥメッセージのスタートラインが示す宛先端末２Ａ−ｘのＳＩＰ−ＵＲＩに基づいて、ＳＩＰ情報テーブル３０から宛先端末２Ａ−ｘのＣｏｎｔａｃｔアドレスを検索できるため、ＩＮＶＩＴＥメッセージを宛先端末２Ａ−ｘに転送できる。従って、図３の３４０〜３４５と同様のシーケンスで、発呼元端末とＳＩＰ端末２Ａ−ｘとの間の呼接続が可能となる。
【００３０】
次に、図９を参照して、複数のＳＩＰサーバが存在する大規模なＳＩＰネットワークに適用される本発明の第２実施例のアクセスポイントノード装置について説明する。
図９は、ＳＩＰサーバ３を含む図１に示したＳＩＰネットワーク１と、ＳＩＰサーバ１３を含むＳＩＰネットワーク１０とが接続されたネットワーク構成を示している。ＳＩＰネットワーク１０には、認証情報テーブル１４０を備える認証サーバ１４と、ＳＩＰ端末２Ｃ−１〜２Ｃ−ｎ収容したアクセスポイントノード装置５Ｃが接続され、ＳＩＰサーバ１３はＳＩＰ情報テーブル１３０を備えている。
【００３１】
本実施例では、各アクセスポイントノード装置５（５Ａ〜５Ｃ）のＳＩＰアクセスマネージャ７が、ＳＩＰ選択テーブル８を備えている。ＳＩＰ選択テーブル８は、図１０に示すように、ＵＲＩの少なくとも一部の情報８１と、ＳＩＰサーバ位置情報（アドレス）８２との関係を示している。
【００３２】
また、本実施例では、認証サーバ４、１４が参照する認証テーブルに、例えば、図１１に示す認証テーブル４０のように、図５で説明した項目４１〜４５の他に、転送先認証サーバアドレス４６が含まれる。
【００３３】
図１２は、上記ネットワークにおいて、アクセスポイントノード装置５Ｃに接続されていたＳＩＰ端末２Ｃ−ｎが移動し、別のアクセスポイントノード装置５ＡのＬＡＮに接続された場合の動作シーケンスを示す。
ＳＩＰ端末２Ｃ−ｎが、ＬＡＮに接続され（３０１）、認証要求メッセージを送信すると（３０２）、第１実施例と同様、アクセスポイントノード装置５Ａの基本制御部９が、上記認証要求メッセージをアクセスマネージャ６に転送し（３０３）、アクセスマネージャ６から認証サーバ４に認証要求メッセージが送信される。
【００３４】
本実施例では、ＳＩＰ端末２Ｃ−ｎのユーザ情報は、ＳＩＰネットワーク１０の認証サーバ１４に登録してあり、認証サーバ４にはユーザ情報が未登録となっている。認証サーバ４は、認証情報テーブル４０に認証要求メッセージが示すアカウントＩＤに一致するエントリが未登録の場合、アカウントＩＤの部分情報と対応して転送先認証サーバアドレス４７を指定したエントリ群４１０−１、４１０−２、…を参照し、認証要求メッセージが示すアカウントＩＤの＠マーク以降に含まれる部分的ＵＲＩ情報と対応するエントリから、転送先認証サーバのアドレスを特定する。この場合、転送先認証サーバとして、認証サーバ１４が選択され（３０５）、認証要求メッセージが認証サーバ１４に転送される（３０６）。
【００３５】
認証サーバ１４の認証テーブル１４０には、上記認証要求メッセージが示すアカウントＩＤとパスワードが登録済みとなっているため、認証サーバ１４から認証サーバ４に認証要求応答が返送される（３１０）。この場合、認証要求応答が示すＩＰアドレスは、ＳＩＰ端末２Ｃ−ｎがアクセスポイントノード装置５Ｃに接続された時に有効なアドレスであり、移動先のアクセスポイントノード装置５Ａでは使えない。そのため、認証サーバ４は、ＳＩＰ端末２Ｃ−ｎが移動先で使用すべきアドレスを自動的に割当て、該割当てアドレスとアカウントＩＤとを含む認証要求応答をアクセスポイントノード装置５Ａに送信する（３１２）。
【００３６】
アクセスポイントノード装置５Ａでは、上記認証要求応答が基本制御部９からアクセスマネージャ６に転送され、第１実施例と同様のステップ３１３〜３２０が実行される。ＳＩＰアクセスマネージャ７は、アクセスマネージャ６からＳＩＰアクセス要求を受信すると、位置登録メッセージを生成する（３２１）。この後、ＳＩＰ選択テーブル８を参照し、上記位置登録メッセージのアカウントＩＤが示す部分的ＵＲＩ情報と対応するエントリから、該メッセージの宛先となるＳＩＰサーバアドレスを選択する（３２２）。この例では、宛先サーバとして、ＳＩＰネットワーク１に接続されたＳＩＰサーバ３が選択され、位置登録メッセージ（ＳＩＰ  ＲＥＧＩＳＴＥＲ）が上記ＳＩＰサーバ３に送信される（３２５）。ＳＩＰサーバ３が実行するＳＩＰ情報管理テーブル更新（新エントリの登録）３３０以降のシーケンスは、第１実施例と同様である。
【００３７】
以上の実施例から、ＳＩＰ端末が別のアクセスポイントノード装置に移動した場合でも、認証サーバ間に連携によってＳＩＰ端末を認証し、移動先のアクセスポイントノード装置が、移動先ネットワークにＳＩＰサーバに端末位置登録できる。これによって、第１実施例と同様、上記ＳＩＰ端末から他の端末への呼接続と、他の端末から上記ＳＩＰ端末への呼接続が可能となる  。
【００３８】
【発明の効果】
本発明によれば、認証サーバが使用するアカウント識別子と、呼接続制御サーバが使用する端末識別子とを共通化したことによって、ユーザ認証の成功時に、アクセスポイントから呼接続制御サーバに、ユーザ端末の位置情報登録を自動的に行うことが可能となる。
【図面の簡単な説明】
【図１】本発明の第１実施例のアクセスポイントノード装置５Ａが適用されるＳＩＰネットワークの１例を示す図。
【図２】本発明によるアクセスポイントノード装置５Ａの第１実施例を示す図。
【図３】アクセスポイントノード装置５Ａを介してＳＩＰ端末をＳＩＰネットワークに接続した場合に実行される通信シーケンス図。
【図４】アクセスマネージャ６から認証サーバ４に送信される認証要求メッセージのフォーマットを示す図。
【図５】認証サーバ４が備える認証テーブルの１例を示す図。
【図６】認証サーバ４からアクセスマネージャ６に送信される認証要求応答メッセージのフォーマットを示す図。
【図７】ＳＩＰアクセスマネージャ７からＳＩＰサーバ３に送信される位置登録メッセージのフォーマット図。
【図８】ＳＩＰサーバ３が備えるＳＩＰ情報テーブル８の構成図。
【図９】本発明の第２実施例のアクセスポイントノード装置５Ａが適用されるＳＩＰネットワークの１例を示す図。
【図１０】第２実施例のＳＩＰアクセスマネージャ７が備えるＳＩＰ選択テーブル８の構成図。
【図１１】第２実施例の認証サーバ４が備える認証テーブル４０の構成図。
【図１２】ＳＩＰ端末がアクセスポイントノード装置５Ｃから５Ａに移動した場合に実行される通信シーケンス図。
【符号の説明】
１、１０：ＳＩＰネットワーク、２：ＳＩＰ端末、
３、１３：ＳＩＰサーバ、４、１４：認証サーバ、
５：アクセスポイントノード装置、６：アクセスマネージャ、
７：ＳＩＰアクセスマネージャ、８：ＳＩＰ選択テーブル。
【図１】
2004328104.tif 000003
【図２】
2004328104.tif 000004
【図３】
2004328104.tif 000005
【図４】
2004328104.tif 000006
【図５】
2004328104.tif 000007
【図６】
2004328104.tif 000008
【図７】
2004328104.tif 000009
【図８】
2004328104.tif 000010
【図９】
2004328104.tif 000011
【図１０】
2004328104.tif 000012
【図１１】
2004328104.tif 000013
【図１２】
2004328104.tif 000014
【手続補正書】
【提出日】平成15年5月6日(2003.5.6)
【手続補正１】
【補正対象書類名】明細書
【補正対象項目名】００３６
【補正方法】変更
【補正の内容】
【００３６】
アクセスポイントノード装置５Ａでは、上記認証要求応答が基本制御部９からアクセスマネージャ６に転送され、第１実施例と同様のステップ３１３〜３２０が実行される。ＳＩＰアクセスマネージャ７は、アクセスマネージャ６からＳＩＰアクセス要求を受信すると、位置登録メッセージを生成する（３２１）。この後、ＳＩＰ選択テーブル８を参照し、上記位置登録メッセージのアカウントＩＤが示す部分的ＵＲＩ情報と対応するエントリから、該メッセージの宛先となるＳＩＰサーバアドレスを選択する（３２２）。この例では、宛先サーバとして、ＳＩＰネットワーク１０に接続されたＳＩＰサーバ１３が選択され、位置登録メッセージ（ＳＩＰ  ＲＥＧＩＳＴＥＲ）が上記ＳＩＰサーバ１３に送信される（３２５）。ＳＩＰサーバ１３が実行するＳＩＰ情報管理テーブル更新（新エントリの登録）３３０以降のシーケンスは、第１実施例と同様である。